(57)【要約】【課題】振動など、力の印加により、装着面が水平でない場合にも装着作業性が良好でかつ意匠性に優れた照明器具を提供する。【解決手段】発光部を収納するバルブ１０１と、前記バルブに連設された台部１０１ａと、前記台部に装着される口金１０３と、前記口金に係合されるソケット２００と、前記ソケットの軸方向に沿ってスライド自在なカバー部２０１とを具備した電球型照明器具であって、カバー部２０１に配設された凸部２０１ｓと、この凸部２０１ｓに符合する位置に配設された凹部１０２とで構成された回動抑止部を具備し、ソケット２００に係合した状態で前記カバー部が固定され、ソケット２００と電球部１００との係合の緩みを抑制する。【選択図】図１
2011003309.tif 000002
【特許請求の範囲】
【請求項１】
発光部を収納するバルブと、
前記バルブに連設された台部と、
前記台部に装着される口金と、
前記口金に係合されるソケットと、
前記ソケットの軸方向に沿ってスライド可能なカバー部とを具備し、
前記ソケットに係合した状態で前記カバー部が前記台部に圧接される電球型照明器具。
【請求項２】
請求項１記載の電球型照明器具であって、
前記台部は、前記カバー部と当接する箇所に、相対的に回動するのを抑止する回動抑止部を具備した電球型照明器具。
【請求項３】
請求項１または２に記載の照明器具であって、
前記回動抑止部は、前記カバー部に配設された凸部と、前記凸部に符合する位置に配設された凹部とで構成された電球型照明器具。
【請求項４】
請求項３または４に記載の照明器具であって、
前記回動抑止部は、前記バルブの回転軸に対して対称位置に設けられた一対の抑止部である電球型照明器具。
【請求項５】
請求項２乃至４のいずれかに記載の照明器具であって、
前記カバー部は、少なくとも前記台部に向かう領域においては、互いに前記台部を介して平行な前記面状部を構成する電球型照明器具。
【請求項６】
請求項２乃至４のいずれかに記載の照明器具であって、
前記カバー部は、
前記ソケットの上部において周りを覆う筒状部と、
前記筒状部に係合するオーバーカバー部とを具備し、
前記回動抑止部は、前記オーバーカバー部と前記台部との間に充填されたコーキング剤で構成される電球型照明器具。
【発明の詳細な説明】
【技術分野】
【０００１】
本発明は、電球型照明器具に係り、特に電球型光源の脱落防止構造に関する。
【背景技術】
【０００２】
従来、開口部を有するソケット内周に受金を取り付け、開口部から、白熱電球などの電球型光源の口金をねじ込んで固定するねじ込み式ソケットが広く用いられている。
受金内部には、電球型光源の口金側面のネジ部に当接する板ばね状の側面接触子が設けられており、その側面接触子は、ソケット本体の底部側から開口側に突出するように取り付けられ、先端に位置する開口側端部がソケット本体の内周側に曲げられて、口金のネジ部に接して導通するとともに、そのネジ部が側面接触子を押圧することにより、その側面接触子が口金を内側へ付勢するようになっている。
【０００３】
しかしながら、電球型光源の脱着を繰り返したりあるいは、時間の経過によって、板ばねの弾性力が弱まると、口金が緩んでしまうことがあり、接触子との導通が不安定となったり、さらにこれを放置するとランプの脱落が生じたりするという問題があった。
そこで、ソケット本体の受金内部に、板ばねを設けて、この板ばねが受金内に差し込んだランプの口金に圧接するようにし、そのランプの口金に圧接した板ばねが外側に押圧されることにより、受金外周にはその反力が働いて逆に内側に押されて、受金外周とソケット内周との圧接度合いが高まるようにしたものが提案されている（特許文献１）。
【０００４】
この構成によれば、受金外周とソケット内周の圧接度合いが高まり、受金がソケット本体に対してより弾性を持ってしっかりと固定されるようになるとされている。
【先行技術文献】
【特許文献】
【０００５】
【特許文献１】特開２００５−３４７０７０号公報
【発明の概要】
【発明が解決しようとする課題】
【０００６】
しかしながら、口金がソケットに螺合により係り合った状態で圧接されているだけであり、何らかの力がかかることで、圧接状態が解放されると、振動により、口金が緩み、ランプが落下する場合があった。
特に、船舶で使用する集魚用ランプなど、外部環境の変動などに起因する振動や機械的な力の印加が生じ易い照明器具も多く、厳しい環境下で使用される電球型照明器具においては、より強固な固定が求められていた。
本発明は前記実情に鑑みてなされたもので、振動など、負荷の印加により、口金が緩み、落下したりすることのない照明器具を提供することを目的とする。
【課題を解決するための手段】
【０００７】
そこで本発明の電球型照明器具は、発光部を収納するバルブと、前記バルブに連設された台部と、前記台部に装着される口金と、前記口金に係合されるソケットと、前記ソケットの軸方向に沿ってスライド自在なカバー部とを具備し、前記ソケットに係合した状態で前記カバー部が前記台部に圧接される。
この構成によれば、口金がソケットに係合した状態でカバー部が台部に圧接されるため、口金とソケットの回転が抑制され、口金とソケットの係合が緩むのを抑制することができる。したがって、振動などの機械的な力がかかった場合にも、緩みを抑制し、信頼性の高い係合を実現することができる。
【０００８】
また本発明は、上記照明器具において、前記台部は、前記カバー部と当接する箇所に、相対的に回動するのを抑止する回動抑止部を具備したものを含む。
この構成によれば、前記台部は、前記カバー部と当接する箇所に、相対的に回動するのを抑止する回動抑止部を具備しているため、機械的な力に対しても、緩みを抑制することができる。たとえば台部のカバー部と当接する箇所を平坦にしたり、凹部を形成したりして、カバー部が台部に係合するように形成するのが望ましい。
【０００９】
また本発明は、上記照明器具において、前記回動抑止部は、前記カバー部に配設された凸部と、前記凸部に符合する位置に配設された凹部とで構成されたものを含む。
この構成によれば、より確実に、台部と、カバー部との相対的に回動を抑制することで口金とソケットの回転が抑制され、口金とソケットの係合が緩むのを抑制することができる。
【００１０】
また本発明は、上記照明器具において、前記回動抑止部は、前記バルブの回転軸に対して対称位置に設けられた一対の抑止部であるものを含む。
この構成によれば、さらに確実に、台部と、カバー部との相対的に回動を抑制することで口金とソケットの回転が抑制され、口金とソケットの係合が緩むのをより確実に抑制することができる。
【００１１】
また本発明は、上記照明器具において、前記カバー部は、少なくとも前記台部に向かう領域においては、互いに前記台部を介して平行な前記面状部を構成するものを含む。
この構成によれば、台部と、カバー部との係合部をみながら、係合させることができ、より確実にカバー部を装着することが可能となる。
【００１２】
また本発明は、上記照明器具において、前記カバー部は、前記ソケットの上部において周りを覆う筒状部と、前記筒状部に係合するオーバーカバー部とを具備し、前記回動抑止部は、前記オーバーカバー部と前記台部との間に充填されたコーキング剤で構成されるものを含む。
この構成によれば、オーバーカバー部と台部との間に充填されたコーキング剤で固定しているため、さらに確実な固定が可能となり、口金とソケットの回転が抑制され、口金とソケットの係合が緩むのを抑制することができる。
【発明の効果】
【００１３】
以上説明してきたように、本発明によれば、口金がソケットに係合した状態でカバー部が台部に圧接されるため、口金とソケットの回転が抑制され、口金とソケットの係合が緩むのを抑制することができる。したがって、振動などの機械的な力がかかった場合にも、緩みを抑制し、信頼性の高い係合を実現することができる。
【図面の簡単な説明】
【００１４】
【図１】本発明の実施の形態１の電球型照明器具を示す分解斜視図
【図２】同電球型照明器具の装着工程を示す斜視図
【図３】同電球型照明器具の装着工程を示す側面図
【図４】同電球型照明器具の組み立て工程を示す図
【図５】同電球型照明器具の側面図
【図６】本発明の実施の形態２の電球型照明器具を示す側面図、
【図７】同電球型照明器具の要部斜視図
【図８】本発明の実施の形態３の電球型照明器具を示す側面図、
【図９】同電球型照明器具の組み立て工程を示す図
【発明を実施するための形態】
【００１５】
以下本発明の実施の形態について図面を参照しつつ詳細に説明する。
（実施の形態１）
図１は本発明の実施の形態１の電球型照明器具を示す分解斜視図、図２はこの電球型照明器具の装着工程を示す斜視図、図３は装着工程を示す側面図、図４（ａ）乃至（ｃ）は組み立て工程を示す図、図５（ａ）および（ｂ）は側面図である。
この電球型照明器具は、フィラメントなどからなる発光部を収納するバルブ１０１と、このバルブ１０１に連設された台部１０１ａと、台部１０１ａに装着される口金１０３とを備えた電球部（ランプ）１００と、口金１０３に係合されるソケット２００と、ソケット２００の軸方向に沿ってスライド自在なカバー部２０１とを具備し、ソケット２００の外側の少なくとも一部を覆った状態でカバー部２０１が台部１０１ａに固定される。そしてカバー部２０１は凸部２０１ｓを有するとともに、台部１０１ａには凸部２０１ｓに符合する位置に配設された溝状の凹部１０２を有しており、この凸部２０１ｓが台部１０１ａの溝状の凹部１０２とが係合することで回動抑止部を構成し、口金とソケットの係合が緩むのを抑制したことを特徴とする。
【００１６】
なお、図１に示すように、ソケット２００は口金１０３に螺合するネジ部（図示せず）を内側に有するソケット本体２０２を具備している。そして、ソケット本体２０２には、回動軸２０４が連設され外周でボルト２０２ｂを構成している。このボルト２０２ｂは、ナット２０３と係合することで、カバー部２０１をソケット本体２０２に固定している。
【００１７】
バルブ１０１と、このバルブ１０１に連設された台部１０１ａと、台部１０１ａに装着される口金１０３とを備えた電球部（ランプ）１００が、口金１０３に係合されるソケット２００に係合されている。そして、ソケット２００の軸方向に沿ってスライド自在なカバー部２０１が、ソケット２００に係合した状態で台部１０１ａに固定される。
【００１８】
図２および図３は組み立て途中の状態を示す図である。
【００１９】
組み立てに際しては、まず、図４（ａ）に示すように、ソケット２００を用意し、カバー２０１を上部に移動する。ここでカバー２０１は水平方向に回転可能である。
そして図４（ｂ）に示すように、口金１０３のネジ部をソケット２００のソケット本体２０２の内周に設けられたネジ部に螺合させ、電球部１００をソケット２００に装着する。
そして図４（ｃ）に示すように、ナット２０３を緩めてナット２０３とカバー部２０１を下部に移動させ、台部１０１ａにカバー部２０１が係合するように、凹部１０２に、カバー部２０１先端の凸部２０１ｓを係合させる。そして、ソケット本体２０２に連設された回動軸２０４の外周のネジ部である、ボルト２０２ｂを、ナット２０３に係合させることでカバー部２０１をソケット本体２０２に固定する。
そして、小ビス２１５を、カバー部２０１のビス穴２１６およびソケット本体２０２のビス穴２１７を貫通させて、止め、カバー部２０１とソケット本体２０２とを固定する。
【００２０】
図５（ａ）および（ｂ）は、組み立て後の照明器具の側面図であり、互いに直交する方向から見た図である。
なお、図４および図５では、ナット２０３がカバー部２０１の内側にのみ形成されているが、図１乃至３と同様、外側にも形成されているものとする。ただし、このナット２０３とボルト２０２ｂとの係合は、カバー部の内側のみでも、外側のみでも両方でもよい。
【００２１】
この構成によれば、口金１０３がソケット２００に係合した状態でカバー部２０１が台部１０１ａに固定されるため、口金１０３とソケット２００の回転が抑制され、口金１０３とソケット２００の係合が緩むのを抑制することができる。したがって、振動などの機械的な力がかかった場合にも、緩みを抑制し、信頼性の高い係合を実現することができる。
【００２２】
また、台部１０１ａは、カバー部２０１に配設された凸部２０１ｓに符合する位置に配設された凹部１０２を具備し、台部１０１ａと、カバー部２０１とが相対的に回動するのを抑止しているため、機械的な力に対しても、緩みを抑制することができる。
【００２３】
さらにまたこのカバー部２０１に配設された凸部２０１ｓは、バルブ１０１の回転軸に対して対称位置に設けられた一対の回動抑止部を構成しているため、台部と、カバー部とが相対的に回動するのを確実に、抑制することができる。カバー部２０１に配設された凸部２０１ｓと台部の凹部１０２との係合に加え、カバー部は弾性的に台部に係合うようにしてもよい。
【００２４】
また、このカバー部２０１はコの字状に形成されているため、回動抑止部のない面は、ソケット本体２０２が露呈しており、カバー部２０１との係合部をみながら、係合させることができ、より確実にカバー部を装着することが可能となる。
【００２５】
加えて、前記実施の形態では、カバー部２０１に配設された凸部２０１ｓと台部１０１ａに設けられた凹部１０２との係合により回動抑止部を構成したが、カバー部を弾性体で構成し、この弾性体でバルブ１０１を圧接することでも回動抑止効果を得ることができる。
【００２６】
（実施の形態２）
次に、本発明の実施の形態２について説明する。
図６は本発明の実施の形態２の電球型照明器具を示す側面図、図７は同電球型照明器具の要部斜視図である。
【００２７】
前記実施の形態１では、ソケット２００の外側に設けられたカバー部２０１を、先端の凸部２０１ｓが電球部１００の台部１０１ａの溝状の凹部１０２に係合することで回動抑止部を構成し、台部１０１ａに固定するようにしたが、本実施の形態では、カバー部の先端に台部１０１ａの外周全体を覆うように形成されたフランジ部２０７をコーキング層３００によって固定することで、回動を抑止するものである。
【００２８】
ここでは図６および図７に示すように、カバー部２０１の外周にオーバーカバー部２０９を螺合させるように構成されている。
そして、軸方向に沿ってスライド自在なカバー部２０１とを具備し、ソケット２００に係合した状態でオーバーカバー部２０９に連設されたフランジ部２０７がコーキング層３００によって台部１０１ａに固定されることで回動抑止部を構成し、口金とソケットの係合が緩むのを抑制したことを特徴とする。
【００２９】
他部は前記実施の形態１と同様に形成されるが、この電球型照明器具は、フィラメントなどからなる発光部を収納するバルブ１０１と、このバルブ１０１に連設された台部１０１ａと、台部１０１ａに装着される口金１０３とを備えた電球部（ランプ）１００とを具備し、ソケット２００に係合した状態でオーバーカバー部２０９のフランジ部２０７が台部１０１ａに固定される。
【００３０】
なお、ソケット２００は口金１０３に螺合するネジ部（図示せず）を内側に有するソケット本体２０２を具備し、ソケット本体２０２には、回動軸２０４が連設され外周にボルト２０２ｂを形成し、ナット２０３と係合させることでカバー部２０１を電球部１００に固定している。
この構成によっても、コーキング層によってオーバーカバー部が電球部に対して回動するのを防止することができる。
【００３１】
（実施の形態３）
次に、本発明の実施の形態３について説明する。
図８は本発明の実施の形態３の電球型照明器具の全体説明図、図９（ａ）乃至（ｃ）は組み立て工程を示す図である。
【００３２】
前記実施の形態２では、オーバーカバー部２０９を、ソケット本体２０２に係合されたカバー部２０１に螺合させたが、本実施の形態では、接続部２０５を介してソケット本体２０２の上部に装着されたカバー部２０１の下端にフランジ部２０７を連設し、これをカバー部の先端に台部１０１ａの外周全体を覆うように形成されたフランジ部２０７をコーキング層３００によって固定することで、回動を抑止するものである。
【００３３】
組み立てに際しては、まず、図９（ａ）に示すように、ソケット２００を用意し、カバー部２０１を上部に移動する。ここでもカバー部２０１は水平方向に回転可能である。
そして図９（ｂ）に示すように、口金１０３のネジ部をソケット２００のソケット本体２０２の内周に設けられたネジ部に螺合させ、電球部１００をソケット２００に装着する。
【００３４】
そして図９（ｃ）に示すように、ナット２０３を緩めてナット２０３とカバー部２０１を下部に移動させ、カバー部２０１の下端に設けられたフランジ部２０７が台部１０１ａに係合させるとともに、ソケット本体２０２に連設された回動軸２０４を、外周のネジ部で構成されたボルト（図示せず）を、ナット２０３に係合させることでカバー部２０１を電球部１００に固定し、こののちフランジ部２０７と台部１０１ａとの間にコーキング層３００を充填し、周面全体で固定する。
最後に、小ビス２２５を、カバー部２０１のビス穴２２６およびソケット本体２０２のビス穴２２７を貫通させて、止め、カバー部２０１とソケット本体２０２とを固定する。
【００３５】
この構成によれば、口金１０３がソケット２００に係合した状態でカバー部２０１のフランジ部が台部に固定されるため、口金とソケットの回転が抑制され、口金とソケットの係合が緩むのを抑制することができる。したがって、振動などの機械的な力がかかった場合にも、緩みを抑制し、信頼性の高い係合を実現することができる。
【００３６】
なお、本実施の形態では、白熱電球を用いた電球型照明器具について説明したがこれに限定されることなく、電球型蛍光灯あるいはＬＥＤなど、電球型の照明器具であれば適宜適応可能である。
【符号の説明】
【００３７】
１００  電球部
１０１ａ  台部
１０２  凹部
１０３  口金
２００  ソケット
２０１  カバー部
２０１ｓ  凸部
２０２  ソケット本体
２０２ｂ  ボルト
２０３  ナット
２０４  回動軸
２０５  接続部
２０７  フランジ部
２０９  オーバーカバー部
２１５、２２５  小ビス
２１６、２１７、２２６、２２７  ビス穴
３００  コーキング層
【図１】
2011003309.tif 000003
【図２】
2011003309.tif 000004
【図３】
2011003309.tif 000005
【図４】
2011003309.tif 000006
【図５】
2011003309.tif 000007
【図６】
2011003309.tif 000008
【図７】
2011003309.tif 000009
【図８】
2011003309.tif 000010
【図９】
2011003309.tif 000011